(57)【要約】【課題】  動画映像から高品質なプリントを得る。【解決手段】  放送局１１は、映像番組の各コマに対応させて、各コマを識別するためのコマ識別情報を付加して放送する。テレビ受像機２２にプリント注文機２３を接続し、このプリント注文機２３により動画映像からプリント対象コマを指定する。このプリント対象コマの指定により、コマ識別情報に基づきプリント対象コマが特定され、この特定されたコマ識別情報とプリント対象コマの画像データとがプリント注文機２３のメモリに記憶される。プリント注文時には、メモリに記憶された画像データに基づきプリント対象コマの画像を表示して確定操作により注文が確定される。この注文の確定により、画像コマのコマ識別情報を含むプリント注文情報がプリント仕上げ業者１４に送信される。オリジナルな画像データに基づきプリントが可能になり、高品質なプリントが得られる。【選択図】        図１
2004334192.tif 000002
【特許請求の範囲】
【請求項１】
動画映像を再生する再生装置と、前記再生装置で再生された動画映像の各画像コマに対応し各画像コマを識別するためのコマ識別情報を出力するコマ識別情報出力手段と、プリント対象画像コマを指定するプリント対象画像コマ指定手段と、このプリント対象画像コマ指定手段により指定された画像コマの画像データを前記再生装置から取り込むとともに、前記指定された画像コマのコマ識別情報を前記コマ識別情報出力手段から取り込んで記憶する記憶手段と、記憶手段により記憶された画像コマを表示して確定操作により注文を確定し、この注文の確定された画像コマのコマ識別情報を含むプリント注文情報をプリント受注者に送信する送信手段とを有することを特徴とする動画映像のプリント注文装置。
【請求項２】
前記コマ識別情報を、前記動画映像のタイトル識別情報と各画像コマのフレーム番号とから構成したことを特徴とする請求項１記載の動画映像のプリント注文装置。
【請求項３】
前記コマ識別情報を、前記動画映像に設けた区切り信号の検出タイミング識別情報と、この検出タイミング識別情報に基づく検出タイミングを基準にした経過時間又は経過画像コマ数のカウント値とから構成したことを特徴とする請求項１記載の動画映像のプリント注文装置。
【請求項４】
前記動画映像は、各画像コマを識別するためのコマ識別情報を付加して放送局によりテレビ放送され、前記コマ識別情報を前記放送局の識別情報と放送日時データとから構成したことを特徴とする請求項１記載の動画映像のプリント注文装置。
【請求項５】
動画映像を再生する再生装置と、前記再生装置で再生された動画映像の各画像コマに対応し各画像コマを識別するためのコマ識別情報を出力するコマ識別情報出力手段と、プリント対象画像コマを指定するプリント対象画像コマ指定手段と、このプリント対象画像コマ指定手段により指定された画像コマの画像データを前記再生装置から取り込むとともに、前記指定された画像コマのコマ識別情報を前記コマ識別情報出力手段から取り込んで記憶する記憶手段と、記憶手段により記憶された画像コマを表示して確定操作により注文を確定し、この注文の確定された画像コマのコマ識別情報を含むプリント注文情報をプリント受注者に送信する送信手段とを有する動画映像のプリント注文装置と、
前記プリント注文装置から送られて来た前記コマ識別情報に基づき、前記動画映像の各画像コマとこの各画像コマに対応するコマ識別情報とが対応付けて記憶されている画像データベースから、対応する画像データを検索する手段と、この検索して得られた画像データに基づきプリントを行うプリント手段とを有するプリント装置とを備えることを特徴とする動画映像のプリントシステム。
【請求項６】
前記コマ識別情報を、前記動画映像のタイトル識別情報と各画像コマのフレーム番号とから構成したことを特徴とする請求項５記載の動画映像のプリントシステム。
【請求項７】
前記コマ識別情報を、前記動画映像に設けた区切り信号の検出タイミング識別情報と、この検出タイミング識別情報に基づく検出タイミングを基準にした経過時間又は経過画像コマ数のカウント値とから構成したことを特徴とする請求項５記載の動画映像のプリントシステム。
【請求項８】
前記動画映像は、各画像コマを識別するためのコマ識別情報を付加して放送局によりテレビ放送され、前記コマ識別情報を前記放送局の識別情報と放送日時データとから構成したことを特徴とする請求項５記載の動画映像のプリントシステム。
【発明の詳細な説明】
【技術分野】
【０００１】
本発明は、動画映像のプリント注文装置及びプリントシステムに関する。
【背景技術】
【０００２】
テレビ放送のシーン等をプリントする場合に、家庭用ビデオプリンタが用いられている。
【発明の開示】
【発明が解決しようとする課題】
【０００３】
このような家庭用ビデオプリンタでは、解像度が低く高品質のプリントが得られないという問題がある。また、プリントサイズも固定的であり、大きさはハガキサイズ程度が限度である。しかも、テレビ放送されたシーン等の画像データは、伝送中のノイズの影響や、ビデオプリンタにおける画像データの取り込み処理やデジタルデータへの変換処理などによって、画像品質が劣化するという問題がある。
【０００４】
本発明は上記課題を解決するためのものであり、テレビ放送等の動画映像の１コマを大サイズで高品質にプリントするために、簡単にプリント注文することができるようにした動画映像のプリント注文装置及びプリントシステムを提供することを目的とする。
【課題を解決するための手段】
【０００５】
上記目的を達成するために、本発明は、動画映像を再生する再生装置と、前記再生装置で再生された動画映像の各画像コマに対応し各画像コマを識別するためのコマ識別情報を出力するコマ識別情報出力手段と、プリント対象画像コマを指定するプリント対象画像コマ指定手段と、このプリント対象画像コマ指定手段により指定された画像コマの画像データを前記再生装置から取り込むとともに、前記指定された画像コマのコマ識別情報を前記コマ識別情報出力手段から取り込んで記憶する記憶手段と、記憶手段により記憶された画像コマを表示して確定操作により注文を確定し、この注文の確定された画像コマのコマ識別情報を含むプリント注文情報をプリント受注者に送信する送信手段とを有することを特徴とする。
【０００６】
また、請求項５記載のプリントシステムでは、動画映像を再生する再生装置と、前記再生装置で再生された動画映像の各画像コマに対応し各画像コマを識別するためのコマ識別情報を出力するコマ識別情報出力手段と、プリント対象画像コマを指定するプリント対象画像コマ指定手段と、このプリント対象画像コマ指定手段により指定された画像コマの画像データを前記再生装置から取り込むとともに、前記指定された画像コマのコマ識別情報を前記コマ識別情報出力手段から取り込んで記憶する記憶手段と、記憶手段により記憶された画像コマを表示して確定操作により注文を確定し、この注文の確定された画像コマのコマ識別情報を含むプリント注文情報をプリント受注者に送信する送信手段とを有するプリント注文装置と、前記プリント注文装置から送られて来た前記コマ識別情報に基づき、前記動画映像の各画像コマとこの各画像コマに対応するコマ識別情報とが対応付けて記憶されている画像データベースから、対応する画像データを検索する手段と、この検索して得られた画像データに基づきプリントを行うプリント手段とを有するプリント装置とを備えることを特徴とする。
【０００７】
なお、前記コマ識別情報を、前記動画映像のタイトル識別情報と各画像コマのフレーム番号とから構成することが好ましい。また、前記コマ識別情報を、前記動画映像に設けた区切り信号の検出タイミング識別情報と、この検出タイミング識別情報に基づく検出タイミングを基準にした経過時間又は経過画像コマ数のカウント値とから構成することが好ましい。前記動画映像は、各画像コマを識別するためのコマ識別情報を付加して放送局によりテレビ放送され、前記コマ識別情報を前記放送局の識別情報と放送日時データとから構成することが好ましい。
【０００８】
［作用］
テレビ放送に際して、テレビ放送の各画像コマに対応させて、各画像コマを識別するためのコマ識別情報が付加される。テレビ受像機にプリント注文機を接続し、テレビ受像機の各シーンを観察してプリント対象画像コマを見つけたら、プリント指定を行う。このプリント指定によって、プリント対象コマのコマ識別情報が読み出され、これがプリント注文機のメモリに、テレビ放送のプリント対象コマの画像データとともに記憶される。プリント注文時には、プリント注文機により表示されたプリント対象画像コマの観察による確定操作によって注文が確定し、この注文が確定された画像コマのコマ識別情報を含むプリント注文情報が、プリント受注者に送信される。プリント受注者は、送られてきたコマ識別情報に基づき、プリント対象画像コマを特定し、画像データベースから該当するオリジナルな画像データを読みだす。この読みだした高解像度なオリジナル画像データを用いてプリントを行う。画像データベースに登録した高解像度画像データを用いてプリントを行うので、大サイズで且つ高品質なプリントが得られるようになる。同様にして、映画等の映像番組を記録した記録媒体を用いる場合に、各画像コマを識別するコマ識別情報によりプリント対象画像コマを特定し、このコマ識別情報をプリント受注者に送ることにより、プリント受注者はこのコマ識別情報に基づきオリジナル画像データを得て、これに基づきプリントを行うことにより、同じように高品質なプリントが得られるようになる。なお、本発明におけるオリジナルな画像データとは、放送等に用いた原画データそのものの他に原画データを画像処理した高解像度画像データなどが含まれるものである。
【発明の効果】
【０００９】
本発明によれば、再生された動画映像を見ながらプリント対象画像コマを指定すると、この指定した画像コマのコマ識別情報が記憶されるので、コマ識別情報などをプリント発注者は意識することなく、簡単に動画シーンの中から、プリントしたいシーンを特定することができる。また、コマ識別情報を含むプリント注文情報が送られるのみで、プリント注文が終了し、画像データを送る必要がなく、通信時間を短縮して迅速な注文が行えるとともに、通信コストを低く抑えることができる。
【００１０】
プリント受注者側では、コマ識別情報で特定されたオリジナルな画像データを用いてプリントすることができるため、オリジナルに近い高品質な動画シーンのプリントが得られる。すなわち、放送された映像番組やビデオテープ等の記録媒体で供給される映像番組は、電送中のノイズや、記録媒体への複製、ユーザー側における画像データの取り込み及びデジタルデータへの変換処理により、画像品質が劣化するが、本発明では、オリジナルな画像データを用いてプリントすることができるので、高品質の画像を用いることができ、その分だけプリントサイズを大きくすることができる。したがって、大サイズでの鑑賞に耐える画像品質が得られる。また、ポスター，カレンダー，壁紙等の大サイズプリントが簡単に得られるようになる。
【００１１】
しかも、コマ識別情報とプリント注文情報とをプリント受注者に送るようにしたので、店舗受付のように受付時間が営業時間に限定されることがなく、２４時間受付が可能になる。したがって、プリントを効率良く行うことができ、プリントの納期を短縮することができる。また、家庭用のビデオプリンタ等を用いることなく、プリント受注者の業務用プリンタを用いてプリントするため、上記高解像度なオリジナル画像データを用いる効果と相まって、より一層高品質で大サイズのプリントを得ることができる。
【００１２】
また、記録媒体に記録された映像番組の各画像コマに対応させて、各画像コマを識別するためのコマ識別情報を付加しておくことにより、放送された映像番組の他に、ビデオテープ等の記録媒体を用いて供給される映像番組の任意シーンを高解像度でプリントすることができる。
【００１３】
コマ識別情報を、動画映像のタイトル識別情報と各画像コマのフレーム番号とから構成したり、動画映像に設けた区切り信号の検出タイミング識別情報と、この検出タイミング識別情報に基づく検出タイミングを基準にした経過時間または経過画像コマ数のカウント値とから構成したり、放送局識別データ及び放送日時データから構成したりすることにより、プリント対象画像コマを確実に特定することができる。また、プリント注文情報は、プリントサイズ，プリント枚数を指示するプリント指示データと、ユーザーを識別するためのユーザー識別データとを有することにより、プリント注文を確実に行うことができる。
【発明を実施するための最良の形態】
【００１４】
図１は、本発明の画像プリントシステムを示す概略図である。本発明の画像プリントシステム１０は、放送局１１に設置される放送設備１２及び画像データベース１３と、受注者としてのプリント仕上げ業者１４に設置される注文受付機１５とプリンタ１６，１７，１８，１９，２０と、発注者としてのユーザー２１側に設置されるテレビ受像機２２とプリント注文機２３とから構成されている。
【００１５】
放送設備１２は周知のように映像番組を放送する。この映像番組の放送に際して、テレビ放送の各画像コマに対応させて、各画像コマを識別するためのコマ識別情報が付加される。コマ識別情報は、テレビ信号の非映像領域に乗せられて、映像信号や音声信号とともに、ユーザー２１側のテレビ受像機２２に送られる。このコマ識別情報は、放送局名，番組名，日時，画像コマ番号を組み合わせてコード化して構成されている。
【００１６】
ユーザー２１側のテレビ受像機２２は周知のように放送されている映像番組をテレビ画面に表示するとともに、スピーカから音声を出力する。また、放送されている各シーンのコマ識別情報が解読され、このコマ識別情報がプリント注文機２３に送られる。
【００１７】
プリント注文機２３はパソコン本体，キーボード，ディスプレィ２３ａ，ハードディスク装置，モデム等からなる周知のパソコンから構成されており、図２に示す処理手順にしたがってプリント対象画像コマの特定、プリント対象画像コマのコマ識別情報の取り込み、プリント注文のデータ転送を行うように構成されている。このため、プリント注文機２３は、プリント対象画像コマ指定キーを備えており、この画像コマ指定キーが押されることで、テレビ受像機２２に表示されている画像データと、この画像データに対応するコマ識別情報とを取り込み、これを内蔵のメモリに記憶する。また、メモリに記憶された画像データ及びコマ識別情報は、プリント注文機２３のディスプレイ２３ａに表示される。
【００１８】
プリント注文機２３には、予めプリント注文データが登録されている。このプリント注文データは、プリントサイズ，プリント枚数を指示するプリント指示データと、ユーザーを識別するためのユーザー識別データと、プリントの納品方法を指示する納品方法指示データと、料金支払い方法を指示する料金支払い方法指示データとから構成されており、キーボード等から予め入力されている。ユーザー識別データは、ユーザー登録前は個人を特定するための氏名，住所，電話番号等の項目のいずれか、又はこれらを組み合わせたものが用いられる。ユーザー登録後は、ユーザーＩＤ番号が用いられる。
【００１９】
プリント注文データの入力処理では、プリント指示データと、納品方法指示データと、料金支払い方法指示データと、ユーザー識別データとが入力される。なお、これら各データは一度入力されると、それが記憶されており、次には前回注文したときのプリント注文データがディスプレィに表示され、共通データの再度の入力が省略されるようになっている。
【００２０】
プリント指示データは、プリントサイズ，プリント枚数，プリントフォーマット，プリント方式を指示するデータから構成されている。プリントサイズは、銀塩写真プリンタにおけるＥサイズ，Ｌサイズ，キャビネサイズ等のサイズを指示する他に、インクジェットプリンタやサーマルプリンタ等におけるＡ０サイズ，・・・Ａ４サイズ，Ａ６サイズ等のサイズを指示するものである。プリント枚数は、各プリントサイズにおける枚数を指示するものである。
【００２１】
プリントフォーマットは、パノラマプリントのような特殊サイズプリント，インデックスプリント，マルチプリント，シールプリント，文字合成プリント，更にはモノクロプリント等を指示するものである。シールプリントは、剥離紙に貼り付けられており、剥がして他のものに貼り付けて使用するもので、多くはマルチプリントと併用される。プリント方式は、銀塩写真プリンタ，インクジェットプリンタ，サーマルプリンタ，その他のプリンタ等を指示するものである。
【００２２】
料金支払い方法指示データは、料金の支払い方法を指示するものであり、郵送及び宅配の納品を希望するときには、クレジットカード支払い，銀行自動引き落とし，銀行振込，プリペイドカード支払い等が選択される。また、受取の納品を希望するときには、上記支払い形態の他に現金払いが選択される。
【００２３】
ユーザー識別データはユーザーを識別するもので、ユーザーの氏名，住所，郵便番号，電話番号，ＩＤ番号などから構成されている。なお、一度注文を行うことにより、または注文前にユーザー登録することにより、これら一連のプリント注文データをオーダー１，オーダー２のようなオーダー番号に登録しておき、後の注文の際には、単にユーザーＩＤ番号及びパスワードを入力して、プリント仕上げ業者の注文受付機１５に接続し、コマ識別情報とオーダー番号とを入力してもよい。
【００２４】
前記ディスプレィ２３ａに表示されたプリント対象画像コマの画像を観察して、これでよい場合には確定キーが押される。確定キーが押されると、プリント注文機２３はデータ転送モードになり、予め登録しておいた上記プリント注文データとコマ識別情報とがプリント仕上げ業者１４側の注文受付機１５に送られる。
【００２５】
注文受付機１５は、扱うデータ量が多いため高機能及び高速なコンピュータシステムであるワークステーション２５から構成されており、図３に示すように処理手順により受付処理と対象画像データの取り込み処理とプリント処理とを行うように構成されている。ワークステーション２５はモデム２６と大容量の記憶装置２７とを備えている。モデム２６は、公衆電話回線２８を介してユーザー２１側のプリント注文機２３に接続される他、専用電話回線２９を介して放送局１１の画像データベース１３に接続される。放送局１１の画像データベース１３には、コマ識別情報に基づきオリジナルな高品質画像データが記憶されている。
【００２６】
前記デジタルプリンタ１６，１７にはペーパーサイズの異なる感光材料が、デジタルプリンタ１８には記録材料がそれぞれセットされており、これらプリンタ１６〜１８は異なるサイズのプリントを行う。プリンタ１６，１７は銀塩方式カラーデジタルプリンタから構成されており、デジタルデータに基づき銀塩方式カラー感光材料（カラーペーパー）を走査露光して、画像を焼付露光する。カラーペーパーはポジ・ポジタイプのものが用いられ、ポジ像でカラーペーパーが焼付露光される。
【００２７】
銀塩方式カラーデジタルプリンタ１６は、図４に示すように、レーザー光による走査露光方式の焼付露光部３０を備えており、画像データに基づき光ビームを変調し、カラーペーパー３１の送りに同期させてカラーペーパー３１のイエロー，マゼンタ，シアンの各感光層を走査露光することにより、各画像を焼付露光する。この焼付露光済みのカラーペーパー３１はペーパープロセサ３２で現像処理された後に、カットマークに基づき各画像コマ毎に切り離され、Ｌサイズのプリント３３が作成される。また、裏印字器３４が設けられており、この裏印字器３４は、各画像に対応させたカラーペーパー３１の裏面に受付番号，ユーザーＩＤ番号，及びこれらのバーコードを記録する。他方の銀塩方式カラーデジタルプリンタ１７も同じように構成されている。このプリンタ１７にはキャビネサイズのものがセットされており、キャビネサイズのプリント３５が作成される。
【００２８】
焼付露光部３０には、レーザー光による走査露光方式の他に、ＣＲＴや液晶表示パネル等を用いた面露光方式又は線露光方式を用いてもよい。また、光ビームを変調する代わりに、マイクロミラー装置を用いて走査露光してもよい。マイクロミラー装置は、サイズが極めて小さいミラー（マイクロミラー）をライン又はマトリクスに配列し、各マイクロミラーの傾斜角度を制御して入射光を偏向するものである。
【００２９】
カラーペーパーとして、ネガ・ポジタイプのものを用いる場合には画像データはポジ・ネガ変換される。このポジ・ネガ変換は、デジタルプリンタ１６〜１８の画像処理部で行う他に、注文受付機１５の画像処理部で行ってもよい。なお、デジタルプリンタ１６〜１８の画像処理部は、ガンマ補正やマトリクス補正を行い、得られたプリントの濃度及び色バランスが最適になるようにしている。
【００３０】
また、プリンタ１８は周知のインクジェット方式カラーデジタルプリンタから構成されている。このプリンタ１８はユーザー注文データのプリント方式指示データがインクジェット方式の場合に選択され、Ａ０〜Ａ４サイズ等の大きなサイズのプリント３６を作成する。このため、プリンタ１８には各種サイズの記録紙がセットされており、サイズ指定に応じて対応する記録紙が選択される。このプリンタ１８にも裏印字器が設けられており、受付番号，ユーザーＩＤ番号，及びこれらのバーコードが記録材料の裏面に記録される。
【００３１】
図１に示すように、請求書発行プリンタ１９は注文受付機１５のデータに基づき請求書３７をプリントする。また、納品袋印字プリンタ２０は納品袋３８に住所，氏名，郵便番号等を印字する。
【００３２】
プリント仕上げ業者１４の注文受付機１５は、系列の現像所や仕上げ業者４０の注文受付機４１と専用電話回線４２を介して接続されている。そして、処理能力以上のプリント処理の注文の場合、処理不可能なプリントサイズやプリントフォーマットの注文の場合、及びプリンタ１６〜１８の故障の場合などに、他の系列現像所や仕上げ業者４０にプリント注文データが転送され、これら仕上げ業者４０によってプリント処理及び必要に応じて納品処理が行われる。
【００３３】
次に、本実施形態の作用について説明する。ユーザー２１はテレビ受像機２２を観ながら、プリントしたいシーンがある場合に、プリント注文機２３を操作して、プリント対象画像コマを特定し、この画像データを取り込む。取り込んだ画像データは、プリント注文機２３のモニター画面２３ａに表示される。また、コマ識別情報がプリント注文機２３のメモリに取り込まれる。モニター画面によりプリント対象画像コマが確認されると、確定キーが操作されて、プリント対象画像コマが特定される。プリント注文機２３には予めプリント注文データやプリント仕上げ業者１４の電話番号等が設定されているので、確定キーの操作により、プリント仕上げ業者１４の注文受付機１５に、コマ識別情報とプリント注文データとが送られる。
【００３４】
注文受付機１５は、図３に示すように、コマ識別情報に基づき、放送局１１の画像データベース１３を検索して、該当するオリジナルな画像データを読みだす。次に、この画像データとプリント注文データとに基づき、指定されたプリントを行う。なお、放送局１１の画像データベース１３に記憶されている各画像コマの画像データは、例えばＪＰＥＧ（Joint Photgraphic Experts  Group）圧縮されており、データ転送時間の短縮化が図られている。データ圧縮方式はＪＰＥＧに限定されることなく、他の周知の圧縮方式が用いられる。
【００３５】
この指定されたプリントに際しては、各プリンタ１６〜１８の画像処理部により周知の画像処理が必要に応じて行われる。画像処理としては、例えばガンマ補正、マトリクス補正、文字イラスト合成、拡大／縮小、トリミング、画像合成等がある。
【００３６】
また、各プリンタ１６〜１８の裏印字器は、プリント３３，３５，３６の裏面に受付番号，ユーザーＩＤ番号及びこれらのバーコードを印刷する。これら受付番号，ユーザーＩＤ番号及びバーコードは、後の納品処理で請求書，納品袋との照合に用いられる。
【００３７】
プリントと並行して又はプリントの前後に、請求書及び納品袋のプリント処理が行われる。請求書発行処理では、注文受付機１５は、請求書発行プリンタ１９により、請求料金の明細と受付番号，ユーザーＩＤ番号，及びこれら番号のバーコードとを所定のフォーマットでプリントして、請求書３７を発行する。同じように、注文受付機１５は、納品袋印字プリンタ２０により、ユーザーの郵便番号，住所，氏名，電話番号，納品種別コード等と受付番号，ユーザーＩＤ番号，及びこれら番号のバーコードとを納品袋３８にプリントする。これら郵便番号や住所氏名等はプリント注文データのユーザーＩＤ番号に基づき特定される。なお、透明窓付きの納品袋を採用する場合には、請求書に住所氏名等を記入することで、納品袋への宛て名書きプリントを省略してもよい。納品袋３８はプリントサイズに応じて各種用意されており、例えばＡ０〜Ａ３等の大サイズプリントの場合には、筒体が用いられる。また、納品袋３８への直接印字の他に、ラベルにプリントしてもよく、この場合には、このラベルが納品袋３８に貼られる。
【００３８】
仕上がったプリント３３，３５，３６と請求書３７と納品袋３８とには同一の受付番号及びバーコードが記録されるため、これらを基準にして照合が行われ、袋詰めされた後に納品種別コードにより、郵送，宅配，受渡し等の処理が選択される。なお、この袋詰めは受付番号に基づき人手により行われる他に、受付番号バーコードをバーコードリーダーで自動的に読み取って自動的に袋詰めした後に、各納品種別に応じて仕分けるようにしてもよい。
【００３９】
プリント料金は、料金支払い方法指示データで指示された方法により清算される。例えば、プリペイドカード支払い方法の場合には、プリント仕上げ業者等でプリペイドカードをユーザーが購入して、このカードＩＤ番号をプリント支払い方法指示データとして入力することで、注文受付機１５はこのプリペイドカードの料金限度額内までプリントを行うことができる。
【００４０】
なお、上記実施形態では、プリント仕上げ業者１４にコマ識別情報を送り、プリント仕上げ業者１４側でコマ識別情報に基づき放送局１１側の画像データベース１３から対象とする画像データを検索するようにしたが、この他に、図５に示すように、ユーザー２１が放送局１１側に設置された注文受付機１５に、公衆電話回線２８を介してコマ識別情報及びプリント注文データをデータ転送し、放送局１１側で専用回線５０を介してプリント仕上げ業者１４に画像データ及びプリント注文データを送るようにしてもよい。なお、図５において、図１に示すものと同一構成物に対しては同一符号が付してある。また、放送局１１内に注文受付機１５の他にプリンタ１６〜２０を設けて、放送局１１がプリント仕上げ業者を兼ねてもよい。また、逆に、プリント仕上げ業者１４が画像データベース１３を有し、放送局１１から定期的に画像データの提供を受け、これを更新するようにしてもよい。
【００４１】
また、上記実施形態では、テレビ受像機２２の画像を観ながらプリント対象画像コマを特定したが、この他に、テレビ放送された映像番組をビデオテープに録画しておき、この際にコマ識別情報も一緒に記録しておき、このビデオテープを再生するときにプリント対象画像コマを特定してもよい。同様にして、他のＣＤ，ＤＶＤ，ＭＯ，レーザーディスク等の記録媒体に記録された映像番組に対しても、タイトル識別名と画像コマ特定情報とを記録しておくことで、同じように大サイズで高品質なプリントを得ることができる。この場合には、プリント仕上げ業者１４は、上記タイトルのオリジナル画像データを有する画像データベースに接続することで、プリント対象画像コマの画像データを得るようにする。
【００４２】
上記実施形態では、コマ識別情報として、放送局名，番組名，日時，画像コマ番号を組み合わせてコード化したものを用いたが、この他に、放送局識別データ及び放送日時データから各シーンの画像コマを特定してもよい。更には、放送局識別データとフレーム番号データとによりプリント対象画像コマを特定してもよい。放送局識別データとしては放送局名の他に各放送局毎に割り振った放送局ＩＤ番号であってもよい。同様に番組名や番組ＩＤ番号と、放送日時データとからプリント対象画像コマを特定してもよい。更には、映像データ中に複数個の区切り信号を入れておき、この区切り信号の検出タイミングを基準として、経過時間又は経過画像コマ数をカウントするカウンタをリセットした後にカウントアップし、この区切り信号値と経過カウント値とにより、プリント対象画像コマを特定してもよい。また、コマ識別情報として、放映時刻の他に、上記区切り信号を番組中に組み込む方式としてもよい。
【００４３】
また、プリント注文データにプリント編集指示データを加えてもよく、この場合には、ユーザーのオリジナル画像データを含めることで、放送業者の提供画像と画像合成等の編集プリントを行ってもよい。ユーザーオリジナル画像は、例えばビデオ画像，パソコン編集画像，写真のデジタル画像などがある。また、画像データにコメント文データを付加しておき、これをプリントに印字してもよい。印字面はプリントの表面でも裏面でもよく、更にはコメント文をプリント対象画像に嵌め込み合成してもよい。
【００４４】
上記実施形態では、放映データに画像コマ識別データを付加したが、この他に、放映データに画像コマ識別データを付加することなく、ユーザー側のテレビ受像機，ビデオ録画再生機，更には単独構成のテレビ信号チューナー部から、選局データを取り込み、この選局データと内蔵時計の日時データとを用いて、プリント対象画像コマを特定してもよい。この場合には、日時データとして、例えば（１／３０）秒刻みを用いることで、プリント対象画像コマを特定することができる。なお、この場合に内蔵時計として、通信衛星などからの時刻信号により時刻を定期的に補正する精度の高いものを用いることが好ましい。
【００４５】
上記実施形態では、銀塩式カラーデジタルプリンタ１６，１７及びインクジェットカラープリンタ１８を用いたが、この他に、熱現像転写方式のカラープリンタ、カラーサーマルプリンタ、カラーレーザープリンタを用いてもよい。また、当然のことながらモノクロプリントを行う場合にはモノクロプリンタが用いられる。
【００４６】
上記実施形態ではテレビ放送や映画などの各シーンを特定してプリントするようにしたが、パソコン通信やインターネット上で提供される画像に対しても、この画像データの電子アドレスで特定することにより同じようにして、プリント仕上げ業者によりプリントすることができるようになる。
【００４７】
上記実施形態では、ユーザーからのコマ識別情報とプリント注文データとに基づきプリント対象画像コマを特定して自動的にプリントするようにしたが、この他に、コマ識別情報とプリント注文データとを受け取った時点で、指定画像コマの概略画像データ，プリント制御情報，プリント料金，納品日時等をユーザーにデータ転送し、確認を取った上で、プリントを行うようにしてもよい。
【００４８】
上記実施形態では、１つのプリント仕上げ業者と放送局との間で画像データの読み込みを行っているが、この他に、プリント仕上げ業者が系列化されている場合には、放送局に近いプリント仕上げ業者が中心となって放送局との間で画像データの読み込みを行い、この画像データをユーザーの最寄りのプリント仕上げ業者にデータ転送するようにしてもよい。
【図面の簡単な説明】
【００４９】
【図１】本発明の画像プリントシステムを示す概略図である。
【図２】ユーザー側における処理手順を示すフローチャートである。
【図３】プリント仕上げ業者側における処理手順を示すフローチャートである。
【図４】本発明の画像プリントシステムで用いる銀塩式カラーデジタルプリンタを示す機能ブロック図である。
【図５】本発明の他の実施形態における画像プリントシステムを示す概略図である。
【符号の説明】
【００５０】
１０  画像プリントシステム
１１  放送局
１２  放送設備
１３  画像データベース
１４  プリント仕上げ業者（プリント受注者）
１５  注文受付機
１６，１７  銀塩式カラーデジタルプリンタ
１８  インクジェットプリンタ
１９  請求書発行プリンタ
２０  納品袋印字プリンタ
２１  ユーザー（発注者）
２２  テレビ受像機
２３  プリント注文機
２５  ワークステーション
２６  モデム
３３，３５，３６  プリント
３７  請求書
３８  納品袋
【図１】
2004334192.tif 000003
【図２】
2004334192.tif 000004
【図３】
2004334192.tif 000005
【図４】
2004334192.tif 000006
【図５】
2004334192.tif 000007